(57)【要約】【課題】低騒音化が可能な冷却装置を提供する。【解決手段】冷却装置５は、回転する羽根、および羽根を収納するファンケースを有し、冷却空気を送風する冷却ファン５１と、冷却ファン５１を保持する保持部６と、を備え、保持部６は、互いに異なる位置で冷却ファン５１を支持する第１部材６１および第２部材６２を有し、第１部材６１および第２部材６２は、互いに物性が異なる材料で形成され、互いの固有振動数が異なる。【選択図】図２
2015222345.tif 000002
【特許請求の範囲】
【請求項１】
回転する羽根、および前記羽根を収納するファンケースを有し、冷却空気を送風する冷却ファンと、
前記冷却ファンを保持する保持部と、
を備え、
前記保持部は、互いに異なる位置で前記冷却ファンを支持する第１部材および第２部材を有し、
前記第１部材および前記第２部材は、互いに物性が異なる材料で形成され、互いの固有振動数が異なることを特徴とする冷却装置。
【請求項２】
請求項１に記載の冷却装置であって、
前記冷却ファンは、前記羽根の単位時間当たりの回転数が所定の範囲で変更可能に駆動され、
前記第１部材および前記第２部材の少なくとも一方は、固有振動数が前記所定の範囲の回転数に対応する周波数の領域外にあるように形成されていることを特徴とする冷却装置。
【請求項３】
請求項１または請求項２に記載の冷却装置であって、
前記第１部材は、前記羽根の回転中心軸に沿う方向における前記ファンケースの一方の外面側に配置され、前記第２部材は、前記ファンケースの他方の外面側に配置され、
前記保持部は、前記第１部材と前記第２部材とが固定されることにより前記冷却ファンを保持することを特徴とする冷却装置。
【請求項４】
請求項１〜請求項３のいずれか一項に記載の冷却装置であって、
前記保持部は、当該冷却装置が固定されるための第１取付部および第２取付部を有し、
前記第１取付部および前記第２取付部は、前記羽根の回転中心軸を挟んで形成されていることを特徴とする冷却装置。
【請求項５】
請求項１〜請求項４のいずれか一項に記載の冷却装置であって、
前記保持部は、前記冷却ファンが吐出する冷却空気を案内する案内部を有していることを特徴とする冷却装置。
【請求項６】
請求項１〜請求項５のいずれか一項に記載の冷却装置であって、
前記冷却ファンは、シロッコファンであることを特徴とする冷却装置。
【請求項７】
光源と、
前記光源から射出された光を変調する光変調装置と、
前記光変調装置で変調された光を投写する投写光学装置と、
請求項１〜請求項５のいずれか一項に記載の冷却装置と、
外装を構成する外装筐体と、
を備えることを特徴とするプロジェクター。
【請求項８】
光源と、
前記光源から射出された光を変調する光変調装置と、
前記光変調装置で変調された光を投写する投写光学装置と、
請求項６に記載の冷却装置と、
外装を構成する外装筐体と、
を備え、
前記外装筐体は、前記冷却装置が取り付けられる筐体底面部を有し、
前記ファンケースは、前記羽根の回転中心軸に沿う方向に直交する外面を有し、
前記冷却装置は、前記外面に沿う面が前記筐体底面部の内面に交差するように配置されることを特徴とするプロジェクター。
【請求項９】
請求項７または請求項８に記載のプロジェクターであって、
前記冷却装置は、前記光源に冷却空気を送風することを特徴とするプロジェクター。
【発明の詳細な説明】
【技術分野】
【０００１】
本発明は、冷却装置、およびプロジェクターに関する。
【背景技術】
【０００２】
従来、光源から射出された光を画像情報に応じて変調し、変調した光をスクリーン等に投写するプロジェクターが知られている。プロジェクターは、内部に配置される光学部品や光源等に電力を供給する電源装置等が発熱するため、発熱する部材を冷却する冷却装置を備えている（例えば、特許文献１参照）。
【０００３】
特許文献１に記載の冷却装置は、冷却ファンとしての遠心力ファンと、遠心力ファンを支持固定するファン固定装置とを備える。ファン固定装置は、ベース板と、第１押さえ部と、第２押さえ部と、ダクト部とを備える。
遠心力ファンの側端部には、この側端部から外側に膨出する第１取付部および第２取付部が形成されている。
第１押さえ部は、第１延出部を有し、第１延出部は、第１延出部本体と、第１吸振部材とで構成されている。第２押さえ部は、第２延出部を有し、第２延出部は、第２延出部本体と、第２吸振部材とで構成されている。
遠心力ファンは、第１取付部が第１延出部およびベース板により挟持され、第２取付部が第２延出部およびベース板により挟持されてファン固定装置に支持固定される。
そして、冷却装置は、ファン固定装置に設けられた固定部を介して外装筐体内に固定される。
【先行技術文献】
【特許文献】
【０００４】
【特許文献１】特開２００８−７２０１９号公報
【発明の概要】
【発明が解決しようとする課題】
【０００５】
しかしながら、特許文献１に記載の冷却装置は、遠心力ファンが第１吸振部材、第２吸振部材を介して支持固定されているとはいうものの、遠心力ファンの駆動による振動がファン固定装置のベース板やダクト部等に伝わり、このベース板やダクト部等が共振する恐れがある。すなわち、遠心力ファンは、プロジェクターの使用環境や電源装置の駆動電力等に応じて回転数が変更可能に構成されていることが考えられるが、変更可能な回転数の範囲内に、このベース板やダクト部等の固有振動数に対応する回転数が含まれる恐れがある。遠心力ファンの回転数がベース板やダクト部等の固有振動数に対応する回転数になると、ベース板やダクト部等が共振するため、冷却装置の騒音が増すという課題がある。
また、特許文献１には、冷却装置の固定構造については詳細に記載されていないが、開示されている図面では、ファン固定装置の固定部にはＵ字状の切欠きが設けられており、冷却装置は、電源装置（電源ユニット）に押し付けられ、この切欠きにネジが挿通されて外装筐体に固定される構造と考えられる。すなわち、特許文献１に記載の冷却装置は、電源装置を利用した固定構造であり、冷却装置を配置する箇所に制限が生じる。そのため、特許文献１に記載の技術では、外装筐体内のデッドスペースを効率良く利用できず、プロジェクターが大型化する恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る冷却装置は、回転する羽根、および前記羽根を収納するファンケースを有し、冷却空気を送風する冷却ファンと、前記冷却ファンを保持する保持部と、を備え、前記保持部は、互いに異なる位置で前記冷却ファンを支持する第１部材および第２部材を有し、前記第１部材および前記第２部材は、互いに物性が異なる材料で形成され、互いの固有振動数が異なることを特徴とする。
【０００８】
この構成によれば、冷却ファンは、異なる物性の材料で形成された第１部材および第２部材を有する保持部によって保持される。そして、第１部材および第２部材は、互いの固有振動数が異なるように形成されている。固有振動数に寄与する物性としては、ヤング率や密度があるが、第１部材および第２部材は、このヤング率や密度が互いに異なる材料で形成されている。これによって、第１部材および第２部材には、冷却ファンの駆動による振動が伝達されるが、第１部材が共振する周波数の領域と、第２部材が共振する周波数の領域とが重なることを回避することができる。よって、騒音を抑制しつつ、使用する羽根の回転数の範囲を可変できる、すなわち、送風する冷却空気の風量や風速を変更できる冷却装置の提供が可能となる。
また、第１部材および第２部材の形状を変えることなく、第１部材および第２部材の少なくともいずれか一方の材料を変えることでこの一方の部材の固有振動数を変更できるので、異なる冷却対象に対して所望の風量や風速となる回転数に冷却ファンの駆動を変更しても、騒音を抑制しつつ、この冷却対象を冷却することが可能となる。よって、異なる冷却対象に対応して新たに第１部材や第２部材を形成するための金型等を新たに製造する必要がなく、騒音を抑制しつつ、多様な冷却対象を冷却可能とする冷却装置の提供が可能となる。
【０００９】
［適用例２］上記適用例に係る冷却装置において、前記冷却ファンは、前記羽根の単位時間当たりの回転数が所定の範囲で変更可能に駆動され、前記第１部材および前記第２部材の少なくとも一方は、固有振動数が前記所定の範囲の回転数に対応する周波数の領域外にあるように形成されていることが好ましい。
【００１０】
この構成によれば、第１部材および第２部材の少なくとも一方は、固有振動数が上述する周波数の領域外にあるように形成されているので、冷却ファンの駆動において、第１部材および第２部材の少なくとも一方の共振を防止することができる。よって、冷却装置の騒音を確実に抑制することが可能となる。
【００１１】
［適用例３］上記適用例に係る冷却装置において、前記第１部材は、前記羽根の回転中心軸に沿う方向における前記ファンケースの一方の外面側に配置され、前記第２部材は、前記ファンケースの他方の外面側に配置され、前記保持部は、前記第１部材と前記第２部材とが固定されることにより前記冷却ファンを保持することが好ましい。
【００１２】
この構成によれば、保持部は、第１部材および第２部材が冷却ファンの両側に配置され、冷却ファンが第１部材および第２部材に挟装されるように保持される。これによって、冷却ファンをバランスよく保持することが可能となり、また、第１部材および第２部材には、冷却ファンの振動が同様に伝わる。よって、第１部材が共振する周波数の領域と、第２部材が共振する周波数の領域とが重なり易い構造であるが、第１部材および第２部材は、互いに異なる物性の材料で形成されているので、確実に固有振動数が異なるように第１部材および第２部材を形成することが可能となる。したがって、冷却ファンを安定して保持しつつ、低騒音化を図った冷却装置の提供が可能となる。
【００１３】
［適用例４］上記適用例に係る冷却装置において、前記保持部は、当該冷却装置が固定されるための第１取付部および第２取付部を有し、前記第１取付部および前記第２取付部は、前記羽根の回転中心軸を挟んで形成されていることが好ましい。
【００１４】
この構成によれば、冷却装置は、第１取付部および第２取付部によって、例えば、ネジを用いてこの冷却装置を搭載する機器内に固定される。これによって、機器内の他の装置等を利用しなくとも、冷却装置を機器内に固定することができる。よって、機器内に配置する自由度が高い冷却装置の提供が可能となる。
【００１５】
［適用例５］上記適用例に係る冷却装置において、前記保持部は、前記冷却ファンが吐出する冷却空気を案内する案内部を有していることが好ましい。
【００１６】
この構成によれば、冷却ファンを保持する保持部は、案内部を有しているので、他の部材を用いることなく、冷却ファンの吐出口近傍から所望の方向に冷却空気を導くことができる。
【００１７】
［適用例６］上記適用例に係る冷却装置において、前記冷却ファンは、シロッコファンであることが好ましい。
【００１８】
この構成によれば、冷却装置は、冷却ファンとしてシロッコファンを備えているので、軸流ファンに比べ、吐出圧の高い冷却空気を送風できる。これによって、低騒音化を図りつつ、冷却対象に集中的に冷却空気を送風できる冷却装置の提供が可能となる。
【００１９】
［適用例７］本適用例に係るプロジェクターは、光源と、前記光源から射出された光を変調する光変調装置と、前記光変調装置で変調された光を投写する投写光学装置と、上記に記載の冷却装置と、外装を構成する外装筐体と、を備えることを特徴とする。
【００２０】
この構成によれば、プロジェクターは上述した冷却装置を備えるので、プロジェクターの使用環境や、低輝度モード、高輝度モード等に応じて羽根の回転数を変えても騒音を抑制し、冷却対象を効率良く冷却することが可能となる。
【００２１】
［適用例８］本適用例に係るプロジェクターは、光源と、前記光源から射出された光を変調する光変調装置と、前記光変調装置で変調された光を投写する投写光学装置と、上記に記載の冷却装置と、外装を構成する外装筐体と、を備え、前記外装筐体は、前記冷却装置が取り付けられる筐体底面部を有し、前記ファンケースは、前記回転中心軸に沿う方向に直交する外面を有し、前記冷却装置は、前記外面に沿う面が前記筐体底面部の内面に交差するように配置されることを特徴とする。
【００２２】
この構成によれば、冷却ファンは、シロッコファンであり、外面に沿う面が筐体底面部の内面に交差するように配置される。すなわち、冷却ファンは、ファンケースにおける回転中心軸に沿う曲面の一部が外装筐体の筐体底面部の内面に対向するように縦置きに配置される。これによって、冷却ファンの吐出口を筐体底面部から離して位置付けできるので、軸流ファンに比べ、吐出圧の高い冷却空気を、筐体底面部から離れた位置から冷却対象に送風することができる。
また、外面が筐体底面部の内面に対向して配置される横置き配置に比べ、筐体底面部の占有面積を小さくできるので、外装筐体内のデッドスペースに冷却装置を配置することができる。よって、大型化を抑制してこの冷却装置を備えたプロジェクターの提供が可能となる。
【００２３】
［適用例９］上記適用例に係るプロジェクターにおいて、前記冷却装置は、前記光源に冷却空気を送風することが好ましい。
【００２４】
この構成によれば、冷却装置は、プロジェクター内の主な発熱源となる光源に冷却空気を送風する。これによって、光源を冷却するために、冷却空気の風量や風速を高めるような冷却ファンの駆動による騒音は、大きくなりがちであるが、冷却装置は上述したように構成されているので、騒音の効率的な抑制が可能となる。
【図面の簡単な説明】
【００２５】
【図１】本実施形態のプロジェクターの概略構成を示す模式図。
【図２】本実施形態の冷却装置の斜視図。
【図３】本実施形態の冷却装置の分解斜視図。
【図４】本実施形態の外装筐体における下ケースの一部、および冷却装置を示す斜視図。
【図５】冷却ファンの羽根の回転数と冷却装置が発する騒音との関係を測定した結果を示すグラフ。
【発明を実施するための形態】
【００２６】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。なお、以下では、説明の便宜上、プロジェクターの投写面に対向している側を前方、プロジェクターが机上等に据え置かれた姿勢において、プロジェクターの上側を上方として記載する。
【００２７】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源装置３１を有する光学ユニット３、冷却ユニット４、および光源装置３１等に電力を供給する電源装置や、外装筐体２内の温度を検出する温度検出部（いずれも図示省略）を備える。
【００２８】
外装筐体２は、詳細な説明は省略するが、上部を形成する上ケース、下部を形成する下ケース等の複数の部材で構成され、外気を取り込む吸気口、および外装筐体２内部の温まった空気を外部に排気する排気口等が設けられている。
【００２９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却ユニット４を駆動する制御等を行う。
【００３０】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置３５、投写光学装置としての投写レンズ３６、およびこれらの光学部品を光路上の所定位置に配置する光学部品用筐体３７を備える。
光学ユニット３は、図１に示すように平面視略Ｌ字状に形成され、一方の端部に光源装置３１が着脱可能に配置され、他方の端部に投写レンズ３６が配置される。
【００３１】
光源装置３１は、超高圧水銀ランプやメタルハライドランプ等からなる放電型の光源３１１、リフレクター３１２、平行化レンズ３１３および光源用筐体３１４を備えている。光源装置３１は、光源３１１から射出された光をリフレクター３１２にて反射した後、平行化レンズ３１３よって射出方向を揃え、インテグレーター照明光学系３２に向けて射出する。
【００３２】
インテグレーター照明光学系３２は、第１レンズアレイ３２１、第２レンズアレイ３２２、偏光変換素子３２３、および重畳レンズ３２４を備える。
第１レンズアレイ３２１は複数の小レンズを備え、光源装置３１からの光を複数の部分光に分割する。第２レンズアレイ３２２および重畳レンズ３２４は、第１レンズアレイ３２１からの複数の部分光を集光し、光学装置３５の後述する光変調装置３５１に重ねあわせる。偏光変換素子３２３は、偏光分離膜と位相差板とを備え、光源装置３１から射出されたランダムな偏光方向の光を、所定の方向の偏光光に揃える。
【００３３】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３４】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３５】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備えている。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００３６】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３７】
投写レンズ３６は、複数のレンズを備え、クロスダイクロイックプリズム３５２にて合成された光をスクリーン上に拡大投写する。
【００３８】
冷却ユニット４は、吸気ファン４１、ダクト部材（図示省略）、排気ファン４２、および冷却装置５を備える。
吸気ファン４１は、外装筐体２の吸気口（図示省略）から外部の空気を取り込む機能を有しており、外部から取り込まれた空気は、ダクト部材によって、光変調装置３５１等の光学部品に送風され、これらの部材を冷却する。
冷却装置５は、冷却ファン５１を備え、光源装置３１に冷却空気を送風し、光源３１１等を冷却する。
排気ファン４２は、吸気ファン４１および冷却ファン５１によって送風され、各部材を冷却して暖まった空気を外装筐体２の排気口（図示省略）から外部に排出する。
【００３９】
〔冷却装置の構成〕
ここで、冷却装置５について詳細に説明する。
図２は、冷却装置５の斜視図であり、（ａ）は、前方斜めから見た図であり、（ｂ）は後方斜めから見た図である。図３は、冷却装置５の分解斜視図であり、（ａ）は、前方斜めから見た図であり、（ｂ）は後方斜めから見た図である。
冷却装置５は、図２、図３に示すように、冷却ファン５１に加え、保持部６、クッション部材７，８を備える。
【００４０】
冷却ファン５１は、図３に示すように、回転する羽根（図示省略）および羽根が収納されるファンケース５２を有し、羽根の回転中心軸５１Ｓ方向から取り込んだ冷却空気を回転接線方向に吐出するシロッコファンで構成されている。
【００４１】
ファンケース５２は、羽根が回転する領域を覆う円柱状の本体部５２１、および本体部５２１から突出し、空気が吐出される吐出口５２ｅが設けられた吐出口形成部５２２を有している。
本体部５２１は、回転中心軸５１Ｓに沿う方向に直交する第１外面５２１Ａ、第２外面５２１Ｂ、および第１外面５２１Ａと第２外面５２１Ｂとに接続する曲面５２１Ｃを有している。そして、第１外面５２１Ａおよび第２外面５２１Ｂには、空気を取り込む吸気口５２１ｉがそれぞれ設けられている。すなわち、冷却ファン５１は、両側吸気型のシロッコファンである。
吐出口形成部５２２は、図３（ｂ）に示すように、平面視矩形状に形成されている。
【００４２】
保持部６は、冷却ファン５１を保持する機能、および冷却ファン５１から吐出される冷却空気を光源装置３１に導く機能を有している。
保持部６は、図３に示すように、回転中心軸５１Ｓに沿う方向におけるファンケース５２の一方の外面側（第１外面５２１Ａ側）に配置される第１部材６１、およびファンケース５２の他方の外面側（第２外面５２１Ｂ側）に配置される第２部材６２を備え、冷却ファン５１を内部に収納するように構成されている。なお、以下では、説明の便宜上、図２に示すように、回転中心軸５１Ｓに沿う方向において、第１部材６１が配置されている側を＋Ｙ方向、プロジェクター１が机上等に据え置かれる姿勢における上方を＋Ｚ方向、＋Ｙ方向および＋Ｚ方向に直交し、図２（ａ）における右側を＋Ｘ方向としてとして記載する。
【００４３】
第１部材６１および第２部材６２は、互いに物性が異なる材料で形成され、互いの固有振動数が異なる。
第１部材６１は、図３に示すように、冷却ファン５１の第１外面５２１Ａに対向する内面を有する底面部６１１、および底面部６１１の縁部から起立する起立部６１２を有している。
底面部６１１には、冷却ファン５１の吸気口５２１ｉに対応する位置に開口部６１１ａが形成されている。起立部６１２には、図３（ｂ）に示すように、冷却ファン５１の吐出口形成部５２２が配置される切欠き６１２ａ、およびネジ穴６１２ｂが形成された複数の突起部６１２ｃが設けられている。冷却ファン５１の吐出口形成部５２２の外周縁にはクッション部材８が貼付される。切欠き６１２ａは、クッション部材８が貼付された吐出口形成部５２２が配置される部位であり、回転中心軸５１Ｓを中心とする回転方向において、冷却ファン５１を係止する機能を有している。
【００４４】
また、第１部材６１には、図２、図３に示すように、起立部６１２から突出する第１取付部６１３が形成されている。第１取付部６１３は、図３（ｂ）に示すように、起立部６１２の切欠き６１２ａが形成されている側とは反対側に、Ｘ−Ｙ平面に沿って板状に形成されている。この第１取付部６１３には、図２（ｂ）に示すように、Ｚ方向に貫通する丸孔６１３ｈが形成されている。
【００４５】
第２部材６２は、第１部材６１と嵌合するように形成され、図３に示すように、冷却ファン５１の第２外面５２１Ｂに対向する内面を有する底面部６２１、および底面部６２１の縁部から起立し、起立部６１２に沿う起立部６２２を有している。
底面部６２１には、冷却ファン５１の吸気口５２１ｉに対応する位置に開口部６２１ａが形成されている。起立部６２２には、図３（ａ）に示すように、冷却ファン５１の吐出口形成部５２２が配置される切欠き６２２ａ、およびネジが挿通される複数の挿通孔６２２ｂが設けられている。複数の挿通孔６２２ｂは、突起部６１２ｃの複数のネジ穴６１２ｂに対応する位置に形成されている。
【００４６】
また、第２部材６２には、図３（ａ）に示すように、切欠き６２２ａ近傍の底面部６２１および起立部６２２に接続する案内部６２２ｃが設けられている。
案内部６２２ｃは、図２（ａ）に示すように、第１部材６１と第２部材６２とが組み合わされた際に、第１部材６１から突出し、回転中心軸５１Ｓに沿う方向において、第１部材６１側に開口部６２２ｄを有するように形成されている。すなわち、冷却ファン５１から吐出された冷却空気は、案内部６２２ｃによって案内され、回転中心軸５１Ｓの回転接線方向から回転中心軸５１Ｓに沿う方向に向きが変更される。
【００４７】
また、第２部材６２には、図３（ｂ）に示すように、底面部６２１から突出する第２取付部６２３が形成されている。第２取付部６２３は、底面部６２１の案内部６２２ｃ寄りに、すなわち、図２（ｂ）に示すように、回転中心軸５１Ｓを挟んで第１取付部６１３とは反対側に、Ｘ−Ｙ平面に沿って板状に形成されている。そして、この第２取付部６２３には、図２（ｂ）に示すように、Ｚ方向に貫通する丸孔６２３ｈが形成されている。
【００４８】
クッション部材７，８は、例えば、シート状のシリコンやウレタン製の発泡材やゴム材等で長尺状に形成され、片側の面には粘着材が設けられている。
クッション部材７は、図３に示すように、冷却ファン５１の本体部５２１に複数個所貼付され、クッション部材８は、吐出口形成部５２２の外周縁に貼付される。
各クッション部材７は、曲面５２１Ｃ、および曲面５２１Ｃの両側の第１外面５２１Ａの一部および第２外面５２１Ｂの一部に貼付される。
【００４９】
冷却ファン５１は、クッション部材７，８が貼付された状態で第１部材６１に組み込まれ、図２に示すように、第２部材６２が第１部材６１にネジ固定されることで、保持部６に保持され、冷却装置５は、一体化される。すなわち、第１部材６１および第２部材６２は、互いに異なる位置でクッション部材７，８を介して冷却ファン５１を支持する。
【００５０】
図４は、外装筐体２における下ケース２１の一部、および冷却装置５を示す斜視図である。
冷却装置５は、第１取付部６１３、第２取付部６２３の丸孔６１３ｈ，６２３ｈ（図２（ｂ）参照）にネジが挿通され、図４に示すように、外装筐体２の下ケース２１に固定される。具体的に、下ケース２１は、プロジェクター１が机上等に据え置かれた際に机の上面に対向する筐体底面部２１Ａ、および筐体底面部２１Ａから上方に突出する２つのボス２１Ｂを有している。冷却装置５は、丸孔６１３ｈ，６２３ｈから挿通されたネジがボス２１Ｂに設けられた穴にネジ締めされて下ケース２１に固定される。
【００５１】
そして、冷却ファン５１は、吐出口５２ｅが上側に位置し、第１外面５２１Ａ（第２外面５２１Ｂ）に沿う面が筐体底面部２１Ａの内面に交差するように配置される。すなわち、冷却ファン５１は、ファンケース５２における曲面５２１Ｃ（図３（ａ）参照）の一部が、保持部６の起立部６１２，６２２を介して筐体底面部２１Ａの内面に対向するように縦置きに配置される。そして、冷却装置５は、開口部６２２ｄが光源用筐体３１４に設けられた開口部（図示省略）と連通して配置される。
【００５２】
〔冷却装置の動作および騒音特性〕
冷却装置５は、制御部の指示に基づいて冷却ファン５１が駆動され、開口部６２２ｄから冷却空気を送風する（図２（ａ）参照）。冷却装置５から送風された冷却空気は、光源用筐体３１４に設けられた開口部（図示省略）から光源装置３１に導入され、光源３１１等を冷却する。
【００５３】
本実施形態のプロジェクター１は、電力消費を抑えて投写する低輝度モード、およびより明るい画像を投写する高輝度モードが可能に構成されている。また、プロジェクター１は、温度検出部の検出結果に基づいて制御部の指示の基、使用環境温度に対応して光源装置３１を適正に冷却できるように、冷却ファン５１の羽根の回転数が変更されように構成されている。すなわち、冷却ファンは、羽根の単位時間当たりの回転数が所定の範囲で変更可能に駆動される。例えば、冷却ファン５１は、回転数が約４０〜７５ｒｐｓ（revolutions per second）（＝２，４００〜４，５００ｒｐｍ（revolutions per minute））の範囲で使用される。
【００５４】
冷却装置５は、前述したように、第１部材６１と第２部材６２とが異なる物性の材料で形成されている。
ここで、冷却装置の騒音特性について説明する。具体的には、冷却ファン５１の羽根の回転数と、冷却装置５が発する騒音との関係について、第１部材６１および第２部材６２が同じ物性の材料で形成された場合と比較して説明する。なお、説明の便宜上、第１部材６１および第２部材６２が同じ物性の材料で形成された冷却装置を従来の冷却装置１００として説明する。そして、従来の冷却装置１００における第１部材６１および第２部材６２をそれぞれ第１部材６１ｕおよび第２部材６２ｕとし、本実施形態における物性が異なる材料で形成された第１部材６１および第２部材６２をそれぞれ第１部材６１ａおよび第２部材６２ａとして説明する。
【００５５】
図５は、冷却ファン５１の羽根の１秒当たりの回転数と、冷却装置５が発する騒音との関係を測定した結果を示すグラフであり、従来の冷却装置１００を用いた場合の特性と、本実施形態の冷却装置５を用いた場合の特性とを比較したグラフである。具体的に、図５における曲線１００Ｑ（点線）は、第１部材６１ｕおよび第２部材６２ｕがエポキシ系樹脂で形成された冷却装置１００の騒音特性を示し、曲線５Ｑ（実線）は、第１部材６１ａがエポキシ系樹脂で形成され、第２部材６２ａがガラス繊維入りのポリカーボネート樹脂で形成された冷却装置５の騒音特性を示す。また、冷却ファン５１の羽根の１秒当たりの回転数は、羽根の回転の周波数を示すことにもなる。
【００５６】
従来の冷却装置１００を用いた場合には、図５の曲線１００Ｑに示すように、約６０ｒｐｓ（＝３，６００ｒｐｍ）において、騒音が急激に増す。この約６０ｒｐｓは、冷却ファン５１が駆動される使用回転数（約４０〜７５ｒｐｓ）の範囲内であり、プロジェクター１は、画像を投写している状態で騒音が大きくなる場合がある。
回転数が約６０ｒｐｓで冷却装置１００の騒音が急激に増すのは、第１部材６１ｕおよび第２部材６２ｕがこの回転数（約６０ｒｐｓ）近傍で共振するためである。すなわち、第１部材６１ｕおよび第２部材６２ｕの固有振動数が、この回転数（約６０ｒｐｓ＝約６０Ｈｚ）の近傍にあり、双方の部材の共振によって騒音が増幅するためである。
【００５７】
一方、図５の曲線５Ｑに示すように、本実施形態の冷却装置５を用いた場合には、約６０ｒｐｓにおける騒音が従来の冷却装置１００を用いた場合に比べて小さなものとなり、約９０ｒｐｓ（＝５，４００ｒｐｍ）における騒音が従来の冷却装置１００を用いた場合に比べて大きくなる。しかしながら、約９０ｒｐｓは、冷却ファン５１の使用される回転数の範囲外である。
【００５８】
これは、第１部材６１ａが従来の第１部材６１ｕと同じ材料で形成されていることにより、約６０ｒｐｓ近傍で共振することには変わりないが、第２部材６２ａが第１部材６１ａと異なる物性の材料で形成されていることにより、第２部材６２ａの固有振動数が第１部材６１ａの固有振動数と異なり、約６０ｒｐｓとは異なる回転数（本実施形態では約９０ｒｐｓ近傍）で共振するためである。
【００５９】
さらに、第１部材６１ａおよび第２部材６２ａの固有振動数について説明する。
固有振動数は、部材の形状、物性、部材の支持方法等で決まるものであり、物性については、ヤング率Ｅ、密度ρが寄与する。
そして、単純な梁の振動を例にすると、固有振動数ｆの理論計算式は、式（１）で示される。
【００６０】
〔数１〕
ｆ＝（λ2／２πＬ2）×√（ＥＩ／ρＡ）・・・（１）
ここで、λ：支持構造に対応した定数、Ｌ：長さ、Ｅ：ヤング率、Ｉ：断面二次モーメント、ρ：密度、Ａ：断面積とする。
【００６１】
第１部材６１および第２部材６２の形状および支持構造は、単純な梁で近似できないため、式（１）で固有振動数を算出することはできないが、形状、支持構造を変えない場合には、ヤング率Ｅ、密度ρに注目することにより、物性が異なる材料で形成された部材同士の固有振動数ｆの概ねの比率を考察することが可能である。
すなわち、第２部材６２ｕ（エポキシ系樹脂）のヤング率をＥｕ、密度をρｕ、固有振動数をｆｕとし、第２部材６２ａ（ガラス繊維入りのポリカーボネート樹脂）のヤング率をＥａ、密度をρａ、固有振動数をｆａとした場合、第２部材６２ｕおよび第２部材６２ａにおいて、固有振動数が小さい部材（第２部材６２ｕ）に対する固有振動数が大きい部材（第２部材６２ａ）の固有振動数比αは、式（２）で示される。
【００６２】
〔数２〕
α＝ｆａ／ｆｕ＝（√（Ｅａ／ρａ））／（√（Ｅｕ／ρｕ））・・・（２）
【００６３】
具体的に、エポキシ系樹脂は、ヤング率Ｅ≒１．７ＧＰａ、密度ρ≒１１２０Ｋｇ／ｍ3であり、ガラス繊維入りのポリカーボネート樹脂は、ヤング率Ｅ≒７．５ＧＰａ、密度ρ≒１３１０Ｋｇ／ｍ3であるため、固有振動数比αは約１．８となる。すなわち、ガラス繊維入りのポリカーボネート樹脂で形成された第２部材６２ａは、エポキシ系樹脂で形成された第２部材６２ｕより固有振動数が理論上、概ね１．８倍になると考察することができる。
【００６４】
この考察は、図５に示す測定結果と概ね近似できるものである。すなわち、エポキシ系樹脂で形成された第２部材６２ｕを用いた場合に約６０ｒｐｓで騒音が大きかったものが、ガラス繊維入りのポリカーボネート樹脂で形成された第２部材６２ａを用いることにより、騒音が高くなる回転数を約９０ｒｐｓの回転数に移動させることができる。
このように、冷却装置５は、冷却ファン５１を支持する第１部材６１および第２部材６２が異なる物性の材料で形成され、第１部材６１および第２部材６２は、互いの固有振動数が異なるように形成されている。
【００６５】
本実施形態では、第１部材６１がエポキシ系樹脂で形成され、第２部材６２がガラス繊維入りのポリカーボネート樹脂で形成された場合を例示して説明したが、第１部材６１をガラス繊維入りのポリカーボネート樹脂で形成し、第２部材６２をエポキシ系樹脂で形成してもよい。すなわち、第１部材６１および第２部材６２の少なくとも一方の部材の固有振動数が使用回転数に対応する周波数の領域外となるように、第１部材６１および第２部材６２の材料を選定してもよい。
【００６６】
また、第１部材６１と第２部材６２とが異なる物性の材料で、固有振動数が異なるように形成されていれば、前述した材料に限らず、他の材料で形成してもよい。例えば、ガラス繊維を含まないポリカーボネート樹脂、ＡＢＳ（Acrylonitrile Butadiene Styrene）樹脂、ＰＢＴ（PolyButylene Terephthalate）樹脂、ポリエチレン、ポリプロピレン、ポリ塩化ビニル、ポリスチレン、ポリアミド、アクリル系樹脂、フッ素系樹脂、シリコン樹脂、またはこれらを主成分とする共重合体、ブレンド体、ポリマーアロイ等を用いることが可能である。また、第１部材６１および第２部材６２の一方が金属であってもよく、第１部材６１および第２部材６２が互いに物性の異なる金属で形成されてもよい。
そして、第１部材６１、第２部材６２の材料として、前述した式（２）を用いて、理論上、固有振動数比αが約１．３以上となるような物性の材料を選択することが望ましい。
【００６７】
また、本実施形態の第１部材６１は、固有振動数が使用回転数に対応する周波数の領域内となるような材料（エポキシ系樹脂）が用いられているが、固有振動数が使用回転数に対応する周波数の領域外となるような材料で第１部材６１を形成してもよい。
【００６８】
このように、冷却装置５は、第１部材６１と第２部材６２とが異なる物性の材料で形成され、第１部材６１が共振する周波数の領域と、第２部材６２が共振する周波数の領域とが重ならないように形成されている。
【００６９】
以上説明したように、本実施形態によれば、以下の効果を得ることができる。
（１）冷却装置５は、冷却ファン５１を保持する第１部材６１と第２部材６２とが異なる物性の材料で形成され、第１部材６１が共振する周波数の領域と、第２部材６２が共振する周波数の領域とが重ならないように形成されている。これによって、騒音を抑制しつつ、使用する羽根の回転数の範囲を可変できる、すなわち、送風する冷却空気の風量や風速を変更できる冷却装置５の提供が可能となる。したがって、プロジェクター１は、低輝度モードや高輝度モードにおいて、騒音を抑制して画像を投写することができる。
【００７０】
（２）第１部材６１および第２部材６２の形状を変えることなく、また、冷却装置５の下ケース２１への取り付け方を変えることなく、第１部材６１および第２部材６２の少なくともいずれか一方の材料を変えることでこの一方の部材の固有振動数を変更できる。これによって、異なる冷却対象、例えば、駆動電力が異なる光源３１１に対して所望の風量や風速となる回転数に冷却ファン５１の駆動を変更しても、騒音を抑制しつつ、この冷却対象を冷却することが可能となる。よって、異なる冷却対象に対応して新たに第１部材６１や第２部材６２を形成するための金型等を新たに製造する必要がなく、騒音を抑制しつつ、多様な冷却対象を冷却可能とする冷却装置５の提供が可能となる。
【００７１】
（３）第２部材６２は、固有振動数が使用回転数（周波数）の領域外にあるように形成されているので、冷却装置５の騒音を確実に抑制することが可能となる。
【００７２】
（４）第１部材６１および第２部材６２は、冷却ファン５１の両側に配置され、冷却ファン５１を挟装するように保持する。これによって、冷却ファン５１をバランスよく保持することが可能となり、また、第１部材６１および第２部材６２には、冷却ファン５１の振動が同様に伝わる。よって、第１部材６１が共振する周波数の領域と、第２部材６２が共振する周波数の領域とが重なり易い構造であるが、第１部材６１および第２部材６２は、互いに異なる物性の材料で形成されているので、確実に固有振動数が異なるように第１部材６１および第２部材６２を形成することが可能となる。したがって、冷却ファン５１を安定して保持しつつ、低騒音化を図った冷却装置５の提供が可能となる。
【００７３】
（５）冷却装置５は、第１取付部６１３および第２取付部６２３によって、ネジを用いて下ケース２１に固定される。これによって、プロジェクター１内の他の装置等を利用しなくとも、冷却装置５をプロジェクター１内に固定することができる。よって、プロジェクター１内に配置する自由度が高い冷却装置５の提供が可能となる。
【００７４】
（６）冷却装置５は、冷却ファン５１としてシロッコファンを備えているので、軸流ファンに比べ、吐出圧の高い冷却空気を送風できる。これによって、低騒音化を図りつつ、冷却対象となる光源装置３１に冷却空気を集中的に送風し、光源装置３１を効率良く冷却することが可能となる。
【００７５】
（７）冷却ファン５１を保持する保持部６は、案内部６２２ｃを有しているので、他の部材を用いることなく、冷却ファン５１の吐出口５２ｅ近傍から光源装置３１に効率良く冷却空気を導くことができる。
【００７６】
（８）冷却ファン５１は、吐出口５２ｅが上側に位置し、縦置きに配置される。これによって、冷却ファン５１の吐出口５２ｅを筐体底面部２１Ａから離して位置付けできるので、軸流ファンに比べ、吐出圧の高い冷却空気を、光源装置３１の上側から効率良く導入させることができる。
また、冷却ファン５１の第１外面５２１Ａ（第２外面５２１Ｂ）が筐体底面部２１Ａの内面に対向して配置される横置き配置に比べ、筐体底面部２１Ａの占有面積を小さくできるので、外装筐体２内のデッドスペースに冷却装置５を配置することができる。よって、大型化を抑制してこの冷却装置５を備えたプロジェクター１の提供が可能となる。
【００７７】
（９）冷却装置５は、プロジェクター１内の主な発熱源となる光源３１１に冷却空気を送風する。これによって、光源３１１を冷却するために、冷却空気の風量や風速を高めるような冷却ファン５１の駆動による騒音は、大きくなりがちであるが、冷却装置５は上述したように構成されているので、騒音の効率的な抑制が可能となる。
【００７８】
（変形例）
なお、前記実施形態は、以下のように変更してもよい。
保持部は、第１部材６１および第２部材６２の２つの部材で冷却ファン５１を保持するように構成されているが、３つ以上の部材で冷却ファン５１を保持するように構成してもよい。そして、この３つ以上の部材のうち、少なくとも２つの部材が互いに異なる物性の材料で形成され、互いの固有振動数が異なるように形成されていればよい。
【００７９】
前記実施形態の冷却ファン５１は、両側吸気型のシロッコファンであるが、これに限らず、片側吸気型のシロッコファンでもよく、また、軸流ファンであってもよい。
また、光源装置３１を冷却する冷却ファン５１以外のファン、例えば、排気ファン４２を冷却ファン５１と同様に、複数の部材で保持するように構成し、複数の部材のうち、少なくとも２つの部材について、互いに異なる物性の材料で形成され、互いの固有振動数が異なるように形成してもよい。
【００８０】
前記実施形態の冷却装置５は、第１取付部６１３および第２取付部６２３を有し、この２つの取付部によって下ケース２１に固定されるように構成されているが、３つ以上の取付部を備えるように構成してもよい。
【００８１】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００８２】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００８３】
光源装置３１は、放電型の光源３１１を用いたものに限らず、その他の方式の光源や発光ダイオード、レーザー等の固体光源で構成してもよい。
【符号の説明】
【００８４】
１…プロジェクター、２…外装筐体、３…光学ユニット、５…冷却装置、６…保持部、２１…下ケース、２１Ａ…筐体底面部、３１…光源装置、３６…投写レンズ（投写光学装置）、５１…冷却ファン、５１Ｓ…回転中心軸、５２…ファンケース、５２ｅ…吐出口、６１，６１ａ，６１ｕ…第１部材、６２，６２ａ，６２ｕ…第２部材、３１１…光源、３５１，３５１Ｂ，３５１Ｇ，３５１Ｒ…光変調装置、５２１Ａ…第１外面（一方の外面）、５２１Ｂ…第２外面（他方の外面）、５２１Ｃ…曲面、５２１ｉ…吸気口、６２２ｃ…案内部、６１３…第１取付部、６２３…第２取付部。
【図１】
2015222345.tif 000003
【図２】
2015222345.tif 000004
【図３】
2015222345.tif 000005
【図４】
2015222345.tif 000006
【図５】
2015222345.tif 000007